(57)【要約】【課題】通信回路部分を共通化することで、機器構成の簡素化及び利用者のコスト負担の低減を図る。【解決手段】ラベル作成処理モードの実行時には、印字済みタグラベル用テープ１０９のラベル作成用無線タグ回路素子Ｔoに対し、ラベル作成用ループアンテナＬＣ１を介して情報の書き込みが行われ、更に当該印字済みタグラベル用テープ１０９が切断されることで、無線タグラベルＴが作成される。一方、情報取得処理モードの実行時には、情報取得用無線タグ回路素子Ｔoに記憶された情報が情報取得用ループアンテナＬＣ２を介して読み取られる。筐体２００の上面には、処理モードを情報取得処理モードへ切替操作するための切替スイッチ９０が設けられる。【選択図】図６
2008197951.tif 000002
【特許請求の範囲】
【請求項１】
装置本体の外郭を構成する筐体と、
前記筐体内に設けられ、タグ媒体を搬送するための搬送手段と、
情報を記憶するＩＣ回路部と情報の送受信を行うタグ側アンテナとをそれぞれ備えた、前記タグ媒体に備えられるラベル作成用無線タグ回路素子と前記筐体外に位置する情報取得用無線タグ回路素子との両方に対し情報送受信可能な装置側アンテナ手段と、
前記ラベル作成用無線タグ回路素子又は情報取得用無線タグ回路素子にアクセスするためのアクセス情報を生成する情報生成手段と、
前記情報生成手段で生成した前記アクセス情報を用いて、前記ラベル作成用無線タグ回路素子を備えた前記タグ媒体を用いてタグラベル作成処理を行うためのラベル作成処理モード、及び、前記情報取得用無線タグ回路素子の情報取得処理を行うための情報取得処理モードを切り替え可能なモード切替手段と、
前記モード切替手段を前記情報取得処理モードへ切替操作するための操作手段と
を有することを特徴とする無線タグ情報通信装置。
【請求項２】
請求項１記載の無線タグ情報通信装置において、
前記モード切替手段を前記ラベル作成処理モードへ切替操作するための切替信号を入力する切替信号入力手段を有する
ことを特徴とする無線タグ情報通信装置。
【請求項３】
請求項１又は請求項２記載の無線タグ情報通信装置において、
前記モード切替手段は、
前記情報取得処理モードで前記情報取得処理を実行しているときには、前記タグラベル作成処理モードへの切り替えを禁止する
ことを特徴とする無線タグ情報通信装置。
【請求項４】
請求項１乃至請求項３のいずれか１項記載の無線タグ情報通信装置において、
前記モード切替手段は、
前記ラベル作成処理モードで前記タグラベル作成処理を実行しているときに前記操作手段による前記切替操作があった場合には、前記タグラベル作成処理の実行を中断して、前記ラベル作成処理モードから前記情報取得処理モードへと切り替える
ことを特徴とする無線タグ情報通信装置。
【請求項５】
請求項４記載の無線タグ情報通信装置において、
前記モード切替手段は、
前記ラベル作成処理モードで前記タグラベル作成処理として複数枚の無線タグラベルの作成処理を実行しているときに前記操作手段による前記切替操作があった場合には、当該作成中に係る１枚の無線タグラベルの作成完了後にタグラベル作成処理の実行を中断して前記情報取得処理モードへと切り替え、前記情報取得処理の完了後に再びラベル作成処理モードへ切り替えて、残余の枚数の無線タグラベルの作成処理を実行させる
ことを特徴とする無線タグ情報通信装置。
【請求項６】
請求項１又は請求項２記載の無線タグ情報通信装置において、
前記モード切替手段は、
前記ラベル作成処理モードで前記タグラベル作成処理を実行しているときに前記操作手段による前記切替操作があった場合、前記アクセス情報の送信頻度を通常よりも低下させた態様の前記タグラベル作成処理と、前記アクセス情報の送信頻度を通常よりも低下させた態様の前記情報取得処理とを並立して実行させる
ことを特徴とする無線タグ情報通信装置。
【請求項７】
請求項１乃至請求項６のいずれか１項記載の無線タグ情報通信装置において、
前記操作手段は、
前記情報取得処理モードへの前記切替操作としての押下操作に対応した押下位置と、前記押下操作を中止したときに復帰する通常位置とを備えた押下方式のスイッチであり、
前記モード切替手段は、
前記操作手段が前記押下位置になった場合には前記情報取得処理モードへと切り替え、前記操作手段が前記通常位置に復帰した場合には前記情報取得処理モードへの切り替えを解除する
ことを特徴とする無線タグ情報通信装置。
【請求項８】
請求項１乃至請求項６のいずれか１項記載の無線タグ情報通信装置において、
前記操作手段は、
前記情報取得処理モードへの前記切替操作に対応した切替位置と、前記切替を解除する操作に対応した解除位置とを備えた選択的押下方式のスイッチであり、
前記モード切替手段は、
前記操作手段が前記切替位置になった場合には前記情報取得処理モードへと切り替え、前記操作手段が前記解除位置になった場合には前記情報取得処理モードへの切り替えを解除する
ことを特徴とする無線タグ情報通信装置。
【請求項９】
請求項１乃至請求項６のいずれか１項記載の無線タグ情報通信装置において、
前記モード切替手段は、
前記操作手段による切替操作に基づき前記情報取得処理モードへと切り替えた後、所定時間が経過したら、前記情報取得処理モードへの切り替えを解除する
ことを特徴とする無線タグ情報通信装置。
【請求項１０】
請求項１乃至請求項６のいずれか１項記載の無線タグ情報通信装置において、
前記モード切替手段は、
前記操作手段による切替操作に基づき前記情報取得処理モードへと切り替えた後、所定回数の前記アクセス情報の送信が完了したら、前記情報取得処理モードへの切り替えを解除する
ことを特徴とする無線タグ情報通信装置。
【請求項１１】
請求項１乃至請求項１０のいずれか１項記載の無線タグ情報通信装置において、
前記モード切替手段により前記情報取得処理モードに切り替えられていることを操作者に報知する第１報知手段を有することを特徴とする無線タグ情報通信装置。
【請求項１２】
請求項１乃至請求項１１のいずれか１項記載の無線タグ情報通信装置において、
操作者に対し、前記情報取得処理モードにおける情報取得処理の結果に対応した報知を行う第２報知手段を有することを特徴とする無線タグ情報通信装置。
【請求項１３】
請求項１１又は請求項１２記載の無線タグ情報通信装置において、
前記第１又は第２報知手段は、
視覚的表示又は音声発声による前記報知を行うことを特徴とする無線タグ情報通信装置。
【請求項１４】
請求項１乃至請求項１３のいずれか１項記載の無線タグ情報通信装置において、
前記操作手段を、前記筐体の前面若しくは上面に設けたことを特徴とする無線タグ情報通信装置。
【発明の詳細な説明】
【技術分野】
【０００１】
本発明は、外部と情報の無線通信を行う無線タグ回路素子と情報送受信を行う無線タグ情報通信装置に関する。
【背景技術】
【０００２】
小型の無線タグとリーダ（読み取り装置）／ライタ（書き込み装置）との間で非接触で情報の読み取り／書き込みを行うＲＦＩＤ（Radio  Frequency  Identification）システムが知られている。例えばラベル状の無線タグに備えられた無線タグ回路素子は、所定の無線タグ情報を記憶するＩＣ回路部とこのＩＣ回路部に接続されて情報の送受信を行うアンテナとを備えている。質問器としてのリーダのアンテナより無線タグ回路素子に対し送信波の送信を行うと、無線タグ回路素子はその送信波の電波のもつエネルギを利用して返答の送信を行う。このようなリーダを用いて無線タグ回路素子から情報読み取りを行う従来技術として、例えば特許文献１記載のものがある。
【０００３】
この従来技術は、操作端末（ＰＣ）とリーダとを接続し、操作端末で所定の操作を行うことにより、リーダよりファイルや人間に所持された無線タグ回路素子の記憶情報を読み取って取得するものである。
【０００４】
一方、例えば、このような無線タグ回路素子に無線タグ情報を書き込んで無線タグラベルを作成する無線タグラベル作成装置が既に提唱されている（例えば、特許文献２参照）。この従来技術では、所定間隔で無線タグ回路素子が設けられた帯状のタグテープ（基材テープ）がタグテープロール（第１ロール）から繰り出されるとともに、別のロール（第２ロール）から繰り出された被印字テープが上記タグテープに貼り合わされる。このとき、上記タグテープの無線タグ回路素子には装置側で生成した所定の無線タグ情報が送信されてＩＣ回路部に書き込まれ、被印字テープにはその書き込まれる無線タグ情報に対応した印字が印字手段によって行われ、これによって印字つきの無線タグラベルが作成されるようになっている。
【０００５】
【特許文献１】特開２００５−２９８１００号公報
【特許文献２】特開２００５−１８６５６７号公報
【発明の開示】
【発明が解決しようとする課題】
【０００６】
一般に、上記特許文献２に記載のようなタグラベル作成装置で作成された無線タグラベルは、管理対象（物品等）に貼り付けられる等、関連付けられて設けられる。そして、上記特許文献１記載のようなリーダにより、上記商品等に設けられた無線タグラベルから無線タグ情報が読み取られて、商品に関する情報を入手して当該商品の管理等が行われる。このように、無線タグラベルを作成しこれを用いて実際に商品管理等を行うには、リーダとタグラベル作成装置の両方の機能が必要である。
【０００７】
ここで、上記従来技術におけるリーダは、無線タグ回路素子に対する送信信号の生成及び無線タグ回路素子からの返答信号の受信処理等を行う通信回路（高周波回路）と、上記送信信号の送信及び上記返答信号の受信を行うためのアンテナとを備えている。また、上記従来技術におけるタグラベル作成装置も、同様に、書き込むための情報を生成するための通信回路（高周波回路）と、アンテナとを備えている。したがって、少なくとも比較的高価な通信回路部分を共通化できれば、機器構成の簡素化及び利用者のコスト負担の低減を図ることができるはずであるが、そのような点に配慮した従来技術は存在しなかった。
【０００８】
本発明の目的は、通信回路部分を共通化することで、機器構成の簡素化及び利用者のコスト負担の低減を図ることができる無線タグ情報通信装置を提供することにある。
【課題を解決するための手段】
【０００９】
上記目的を達成するために、第１の発明は、装置本体の外郭を構成する筐体と、前記筐体内に設けられ、タグ媒体を搬送するための搬送手段と、情報を記憶するＩＣ回路部と情報の送受信を行うタグ側アンテナとをそれぞれ備えた、前記タグ媒体に備えられるラベル作成用無線タグ回路素子と前記筐体外に位置する情報取得用無線タグ回路素子との両方に対し情報送受信可能な装置側アンテナ手段と、前記ラベル作成用無線タグ回路素子又は情報取得用無線タグ回路素子にアクセスするためのアクセス情報を生成する情報生成手段と、前記情報生成手段で生成した前記アクセス情報を用いて、前記ラベル作成用無線タグ回路素子を備えた前記タグ媒体を用いてタグラベル作成処理を行うためのラベル作成処理モード、及び、前記情報取得用無線タグ回路素子の情報取得処理を行うための情報取得処理モードを切り替え可能なモード切替手段と、前記モード切替手段を前記情報取得処理モードへ切替操作するための操作手段とを有することを特徴とする。
【００１０】
本願第１発明においては、筐体内で無線タグラベルを作成するラベル作成処理モードと装置外部の無線タグ回路素子から情報読み取り（取得）を行う情報取得処理モードとを実行可能である。すなわち、ラベル作成処理モードでは、ラベル作成用無線タグ回路素子を備えたタグ媒体が搬送手段で搬送され、装置側アンテナ手段を介しそのラベル作成用無線タグ回路素子に対しアクセス情報を用いて情報送受信が行われたタグ媒体を用いて無線タグラベルが作成される。一方、情報取得処理モードでは、装置側アンテナ手段を介し筐体の外部に位置する情報取得用無線タグ回路素子とアクセス情報を用いて情報送受信が行われることで所定の無線タグ情報が読み取られ、取得される。このように、アンテナ手段やこれに対応した通信回路部分である情報生成手段を共用しラベル作成と情報読み取り（取得）とを行うことができるので、ラベル作成装置と無線タグ情報読み取り装置との両方を別々にそろえる場合に比べ、機器構成の簡素化及び利用者のコスト負担の低減を図ることができる。
【００１１】
このようにタグラベル作成処理と情報取得処理との両方の機能を備える場合、ラベル作成処理は例えばネットワーク接続された操作端末等を介し無線タグ情報通信装置から遠く離れた場所からでも操作者が実行可能であるが、情報取得処理は対象物に添付、貼り付け等された無線タグ回路素子を装置側アンテナ手段の通信距離範囲内に近づける必要があるため、操作者は無線タグ情報通信装置の近くにいる場合が多い。本願第１発明はこれに対応して、モード切替手段を情報取得処理モードへ切替操作するための操作手段を無線タグ情報通信装置に設けている。これにより、タグラベル作成処理と情報取得処理との両方の機能を備える無線タグ情報通信装置において、操作者が情報取得処理を行いたい場合には、当該操作手段を必要に応じて操作することで、その場で確実に装置を情報取得処理モードへ移行させ、対象となる無線タグ回路素子から情報取得を行うことができる。このように操作性を向上することで、操作者の利便性を向上することができる。
【００１２】
第２発明は、上記第１発明において、前記モード切替手段を前記ラベル作成処理モードへ切替操作するための切替信号を入力する切替信号入力手段を有することを特徴とする。
【００１３】
これにより、タグラベル作成処理と情報取得処理との両方の機能を備える無線タグ情報通信装置において、例えばネットワーク接続された操作端末等から切替信号を切替信号入力手段で入力することで、モード切替手段によるラベル作成処理モードへの切替を、操作者が無線タグ情報通信装置から遠く離れた場所からでも実行することができる。
【００１４】
第３発明は、上記第１又は第２発明において、前記モード切替手段は、前記情報取得処理モードで前記情報取得処理を実行しているときには、前記タグラベル作成処理モードへの切り替えを禁止することを特徴とする。
【００１５】
これにより、情報取得処理をラベル作成処理よりも高い優先度で実行させることができ、無線タグ情報通信装置の近くにいて現に情報取得処理を行っている操作者の利便性が阻害されるのを防止することができる。
【００１６】
第４発明は、上記第１乃至第３発明のいずれかにおいて、前記モード切替手段は、前記ラベル作成処理モードで前記タグラベル作成処理を実行しているときに前記操作手段による前記切替操作があった場合には、前記タグラベル作成処理の実行を中断して、前記ラベル作成処理モードから前記情報取得処理モードへと切り替えることを特徴とする。
【００１７】
これにより、操作者が無線タグ情報通信装置の近くにいる場合が多い情報取得処理を、操作者が無線タグ情報通信装置から遠く離れた場所からでも実行可能なラベル作成処理よりも優先して実行することができる。この結果、操作者は無線タグ情報通信装置の近くに来れば必ず情報取得処理を行うことができ、利便性を向上することができる。
【００１８】
第５発明は、上記第４発明において、前記モード切替手段は、前記ラベル作成処理モードで前記タグラベル作成処理として複数枚の無線タグラベルの作成処理を実行しているときに前記操作手段による前記切替操作があった場合には、当該作成中に係る１枚の無線タグラベルの作成完了後にタグラベル作成処理の実行を中断して前記情報取得処理モードへと切り替え、前記情報取得処理の完了後に再びラベル作成処理モードへ切り替えて、残余の枚数の無線タグラベルの作成処理を実行させることを特徴とする。
【００１９】
これにより、ラベル作成を複数枚連続（又は一括）して行っているときでも、そのラベル作成へ割り込む形で情報取得処理を優先して実行することができ、無線タグ情報通信装置の近くに来て情報取得処理を行おうとしている操作者の待ち時間が長くなるのを防止し利便性を向上することができる。またこのとき、その時点で作成中の１枚のラベル作成は完了させることで印刷乱れ等によるラベルの品質低下を防止でき、さらに情報取得処理後にラベル作成を再開し残余のラベルを作成することで、作成枚数の不足や作成忘れ等も防止することができる。
【００２０】
第６発明は、上記第１又は第２発明において、前記モード切替手段は、前記ラベル作成処理モードで前記タグラベル作成処理を実行しているときに前記操作手段による前記切替操作があった場合、前記アクセス情報の送信頻度を通常よりも低下させた態様の前記タグラベル作成処理と、前記アクセス情報の送信頻度を通常よりも低下させた態様の前記情報取得処理とを並立して実行させることを特徴とする。
【００２１】
これにより、タグラベル作成処理と情報取得処理のいずれかのみを実行するのでなく、両方の処理を同時並行して実行することができる。この結果、いずれの処理の操作者についても既に自分の処理が着手され実行中であるとの心理的な安心感を与えることができる。
【００２２】
第７発明は、上記第１乃至第６発明のいずれかにおいて、前記操作手段は、前記情報取得処理モードへの前記切替操作としての押下操作に対応した押下位置と、前記押下操作を中止したときに復帰する通常位置とを備えた押下方式のスイッチであり、前記モード切替手段は、前記操作手段が前記押下位置になった場合には前記情報取得処理モードへと切り替え、前記操作手段が前記通常位置に復帰した場合には前記情報取得処理モードへの切り替えを解除することを特徴とする。
【００２３】
操作者押下時のみ情報取得処理モードとなるようにすることで、モード切替における操作者の操作性をさらに向上することができる。
【００２４】
第８発明は、上記第１乃至第６発明のいずれかにおいて、前記操作手段は、前記情報取得処理モードへの前記切替操作に対応した切替位置と、前記切替を解除する操作に対応した解除位置とを備えた選択的押下方式のスイッチであり、前記モード切替手段は、前記操作手段が前記切替位置になった場合には前記情報取得処理モードへと切り替え、前記操作手段が前記解除位置になった場合には前記情報取得処理モードへの切り替えを解除することを特徴とする。
【００２５】
切替位置へも解除位置へもいずれも操作者による押下が必要な選択的押下方式スイッチとすることで、モード切替における操作確実性を向上することができる。
【００２６】
第９発明は、上記第１乃至第６発明のいずれかにおいて、前記モード切替手段は、前記操作手段による切替操作に基づき前記情報取得処理モードへと切り替えた後、所定時間が経過したら、前記情報取得処理モードへの切り替えを解除する
ことを特徴とする。
【００２７】
所定時間経過後に自動的に情報取得処理モード解除とすることで、モード切替時の操作性をさらに向上することができる。また情報取得処理モード解除を失念することでラベル作成ができなくなるのを未然に防止することができる。
【００２８】
第１０発明は、上記第１乃至第６発明のいずれかにおいて、前記モード切替手段は、前記操作手段による切替操作に基づき前記情報取得処理モードへと切り替えた後、所定回数の前記アクセス情報の送信が完了したら、前記情報取得処理モードへの切り替えを解除することを特徴とする。
【００２９】
所定回数送信後に自動的に情報取得処理モード解除とすることで、モード切替時の操作性をさらに向上することができる。また情報取得処理モード解除を失念することでラベル作成ができなくなるのを未然に防止することができる。
【００３０】
第１１発明は、上記第１乃至第１０発明のいずれかにおいて、前記モード切替手段により前記情報取得処理モードに切り替えられていることを操作者に報知する第１報知手段を有することを特徴とする。
【００３１】
これにより、装置の動作状態（情報取得処理モードにあること）を操作者に確実に認識させることができる。
【００３２】
第１２発明は、上記第１乃至第１１発明のいずれかにおいて、操作者に対し、前記情報取得処理モードにおける情報取得処理の結果に対応した報知を行う第２報知手段を有することを特徴とする。
【００３３】
これにより、情報取得処理の結果等を操作者に確実に認識させることができる。また、その結果表示のための表示装置等を無線タグ情報通信装置のほかに別途設ける必要がなくなる。
【００３４】
第１３発明は、上記第１１又は第１２発明において、前記第１又は第２報知手段は、視覚的表示又は音声発声による前記報知を行うことを特徴とする。
【００３５】
これにより、装置の動作状態や情報取得処理結果等を操作者の視覚又は聴覚に訴え確実に認識させることができる。
【００３６】
第１４発明は、上記第１乃至第１３発明のいずれかにおいて、前記操作手段を、前記筐体の前面若しくは上面に設けたことを特徴とする。
【００３７】
操作者が目につきやすくまた操作しやすい筐体の前面若しくは上面に設けることで、操作者の操作性及び利便性をさらに向上することができる。
【発明の効果】
【００３８】
本発明によれば、通信回路部分を共通化することで、機器構成の簡素化及び利用者のコスト負担の低減を図ることができる。
【発明を実施するための最良の形態】
【００３９】
以下、本発明の一実施形態による無線タグ情報通信装置を図面を参照しつつ説明する。本実施形態は、本発明を無線タグラベルの生成システムに適用した場合の実施形態である。
【００４０】
図１は、本実施形態の無線タグ情報通信装置を備えた無線タグ生成システムを表すシステム構成図である。
【００４１】
図１に示すこの無線タグ生成システムＴＳにおいて、無線タグ情報通信装置１は、有線あるいは無線による通信回線ＮＷを介してルートサーバＲＳ、複数の情報サーバＩＳ、端末１１８ａ及び汎用コンピュータ１１８ｂに接続されている。なお、端末１１８ａ及び汎用コンピュータ１１８ｂを総称して以下適宜、単に「ＰＣ１１８」と称する。
【００４２】
図２は、上記無線タグ情報通信装置１の全体構造を表す斜視図である。
【００４３】
図２において、無線タグ情報通信装置１は、上記ＰＣ１１８からの操作に基づき、装置内においてラベル作成用無線タグ回路素子を備えたタグ媒体を用いて印字付き無線タグラベルの作成を行ったり、装置外部の情報取得用無線タグ回路素子から情報読み取り（取得）を行うものである。無線タグ情報通信装置１の処理モードとしては、上記の印字付き無線タグラベルの作成を行うためのラベル作成処理モードと、上記の情報取得用無線タグ回路素子の情報読み取りを行うための情報取得処理モードと、ラベル作成処理モード及び情報取得処理モードのいずれにもならない待機状態モードとがある。
【００４４】
無線タグ情報通信装置１は、外郭に略六面体（略立方体）形状の筐体２００を有する装置本体２と、この装置本体２の上面に開閉可能（又は着脱可能としてもよい）に設けられた開閉蓋３とを有している。
【００４５】
装置本体２の筐体２００は、装置前方側（図２中、左手前側）に位置し、装置本体２内で作成された無線タグラベルＴ（後述）を外部に排出するラベル排出口１１を備えた前壁１０と、この前壁１０のうちラベル排出口１１の下方に設けられ下端が回動可能に支持された前蓋１２とを備えている。
【００４６】
前蓋１２は押部１３を備えており、この押部１３を上方より押し込むことで前蓋１２が前方に開放されるようになっている。また、前壁１０の一端部には、無線タグ情報通信装置１の電源のオン・オフを行う電源ボタン１４が設けられている。この電源ボタン１４の下方には、操作スイッチ９０が設けられている（なお、操作スイッチ９０は装置本体２の上面に設けるようにしてもよい）。
【００４７】
操作スイッチ９０は、上述した処理モードを情報取得処理モードへ切替操作するためのスイッチである。操作スイッチ９０は、押下操作に対応した押下位置と、押下操作を中止したときに復帰する通常位置とを備えた押下方式のスイッチ（トグルスイッチ）である。この操作スイッチ９０では、押下操作によって押下位置になると情報取得処理モードに切り替えられ、通常位置に復帰させると情報取得処理モードへの切り替えが解除される。この場合には、操作者が押下操作したときのみ情報取得処理モードとなるので、処理モードの切り替えにおける操作者の操作性が向上する。
【００４８】
また、操作スイッチ９０としては、情報取得処理モードへの切替操作に対応した切替位置と、情報取得処理モードへの切替を解除する操作に対応した解除位置とを備えた選択的押下（シーソー）方式のスイッチを用いても良い。この場合には、切替位置及び解除位置のいずれについても操作者による押下操作が必要となるので、処理モードの切り替えにおける操作確実性を向上することができる。
【００４９】
なお、操作スイッチ９０を、操作者の目につきやすくまた操作しやすい装置本体２の前面に設けることで、これによっても操作者の操作性及び利便性を向上することができる。
【００５０】
開閉蓋３は、装置本体２の図２中右奥側の端部にて回動可能に軸支され、バネ等の付勢部材を介して常時開放方向に付勢されている。そして、装置本体２の上面に開閉蓋３に隣接するように配置された開閉ボタン４が押されることにより、開閉蓋３と装置本体２とのロックが解除され、上記付勢部材の作用により開放される。なお、開閉蓋３の中央側部には、透明カバーで覆われた透視窓５が設けられている。
【００５１】
また、装置本体２の上面における開閉蓋３に隣接した位置には、開閉ボタン４側からカッター駆動ボタン１６、ＬＥＤ９１、モニタ９２が順に設けられている。カッター駆動ボタン１６は、装置本体２内に配設された切断機構１５（後述の図３参照）を操作者の手動操作で駆動するためのものである。このボタン１６が押されることで、印字済みタグラベル用テープ１０９（後述の図４参照）を所望の長さにカットして無線タグラベルＴを作成するようになっている。また、これらのカッター駆動ボタン１６、ＬＥＤ９１、モニタ９２等を、操作者の目につきやすくまた操作しやすい装置本体２の上面に設けることにより、操作者の操作性及び利便性を向上することができる。
【００５２】
ＬＥＤ９１は、処理モードが情報取得処理モードに切り替えられていることを操作者に報知する表示器（第１報知手段）である。具体的には、操作スイッチ９０により情報取得処理モードが選択切替されているときには、ＬＥＤ９１を点滅または点灯させる。これにより、装置の動作状態を視覚によって操作者に確実に認識させることができる。なお、ＬＥＤ９１に代え、或いはＬＥＤ９１に加え、ビープ音やブザー等の音声出力による報知を行う手段（スピーカ等）を設けても良い。
【００５３】
モニタ９２は、情報取得処理モードにおける情報取得処理の結果に対応した報知（取得内容）を操作者に対して行う表示器（第２報知手段）である。このモニタ９２を設けることにより、情報取得処理の結果等を視覚によって操作者に確実に認識させることができる。また、その結果表示のための表示装置等を無線タグ情報通信装置１の他に別途設ける必要がなくなる。なお、情報取得処理の結果として、情報取得の成功または失敗のみを報知する場合には、モニタの代わりにＬＥＤを設けても良い。この場合、動作状態を表示するＬＥＤ９１と兼用し、色、点灯間隔等によって、表示しても良い。また、音声発生による報知を行う手段（スピーカ等）を設けても良い。
【００５４】
図３は、無線タグ情報通信装置１の内部の内部ユニット２０の構造（但し後述するループアンテナＬＣ１，ＬＣ２は省略）を表す斜視図である。図３において、内部ユニット２０は、概略的には、カートリッジ７を収納するカートリッジホルダ６と、印字ヘッド（サーマルヘッド）２３を備えた印字機構２１と、固定刃４０及び可動刃４１を備えた切断機構（切断手段）１５と、固定刃４０及び可動刃４１のテープ搬送方向下流側に位置し、ハーフカッタ３４を備えたカットユニット３５（半切断手段）とが設けられている。
【００５５】
カートリッジ７の上面には、例えば、カートリッジ７内に内蔵されている上記基材テープ１０１のテープ幅、テープの色等を表示するテープ特定表示部８が設けられている。また、カートリッジホルダ６には、ローラホルダ２５が支持軸２９により回動可能に枢支され、切換機構により印字位置（当接位置、後述の図４参照）とリリース位置（離反位置）とに切換可能とされている。このローラホルダ２５には、プラテンローラ２６及びテープ圧接ローラ２８が回転可能に配設されており、ローラホルダ２５が上記印字位置に切り換えられたときに、それらプラテンローラ２６及びテープ圧接ローラ２８が上記印字ヘッド２３及びテープ送りローラ２７に対し圧接されるようになっている。
【００５６】
印字ヘッド２３は多数の発熱素子を備えており、カートリッジホルダ６に立設されたヘッド取付部２４に取り付けられている。
【００５７】
切断機構１５は、固定刃４０と、金属部材で構成された可動刃４１とを備えている。カッターモータ４３（後述の図６参照）の駆動力が、カッターハスバギヤ４２、ボス５０、長孔４９を介して可動刃４１の柄部４６に伝達されて可動刃が回転し、固定刃４０とともにカット動作を行う。この切断状態は、カッターハスバギヤ用カム４２Ａの作用により切り替わるマイクロスイッチ１２６により検出される。
【００５８】
ハーフカットユニット３５は、受け台３８とハーフカッタ３４とが対向して配置され、さらにガイド固定部３６Ａにより第１ガイド部３６と第２ガイド部３７とが側板４４（後述の図４参照）に取り付けられている。ハーフカッタ３４は、所定の回動支点（図示せず）を中心として、ハーフカッタモータ１２９（後述の図６参照）の駆動力によって回動する。受け台３８の端部には受け面３８Ｂが形成されている。
【００５９】
図４は、図３に示した内部ユニット２０の構造を表す平面図である。図４において、上記カートリッジホルダ６は、カートリッジ７のテープ排出部３０より排出されさらに上記ラベル排出口１１から排出される印字済みタグラベル用テープ１０９の幅方向の向きが、鉛直上下方向となるようにカートリッジ７を収納する。
【００６０】
また、内部ユニット２０には、ラベル排出機構２２と、ラベル作成用ループアンテナ（第１アンテナ）ＬＣ１と、情報取得用ループアンテナ（第２アンテナ）ＬＣ２とが設けられている。
【００６１】
ラベル作成用ループアンテナＬＣ１は、筐体２００の内部側に通信可能領域を備え、印字済みタグラベル用テープ１０９に備えられたラベル作成用無線タグ回路素子Ｔoに対し情報送受信可能に構成されている。情報取得用ループアンテナ（第２アンテナ）ＬＣ２は、筐体２００の外部側に通信可能領域を備え、筐体２００外に位置する情報取得用無線タグ回路素子Ｔoに対し情報送受信可能に構成されている。そして、これらラベル作成用ループアンテナＬＣ１と情報取得用ループアンテナＬＣ２との間には、これらループアンテナＬＣ１，ＬＣ２から発生する磁束を遮断するための例えば金属製のシールド部材８５が設けられている。
【００６２】
ラベル排出機構２２は、切断機構１５において切断された後の印字済みタグラベル用テープ１０９（言い換えれば無線タグラベルＴ、以下同様）をラベル排出口１１（図２参照）より排出するものである。すなわちラベル排出機構２２は、テープ排出モータ１２３（後述の図６参照）の駆動力により回転する駆動ローラ５１と、この駆動ローラ５１に対して印字済みタグラベル用テープ１０９を挟んで対向する押圧ローラ５２と、印字済みタグラベル用テープ１０９に設けられた識別マークＰＭ（後述の図５参照）を検出するマークセンサ１２７とを有している。このとき、上記ラベル排出口１１の内側には、印字済みタグラベル用テープ１０９をラベル排出口１１及びラベル作成用ループアンテナＬＣ１へ案内するための第１案内壁５５，５６及び第２案内壁６３，６４が設けられている。第１案内壁５５，５６及び第２案内壁６３，６４はそれぞれ一体に形成され、上記固定刃４０と可動刃４１とでカットされた印字済みタグラベル用テープ１０９（無線タグラベルＴ）の排出位置において、互いに所定の間隔を隔てられるように配置されている。
【００６３】
なお、テープ送りローラ駆動軸（搬送手段）１０８及びリボン巻取りローラ駆動軸１０７は、印字済みタグラベル用テープ１０９及びインクリボン１０５（後述）の搬送駆動力をそれぞれ与えるものであり、互いに連動して回転駆動される。
【００６４】
図５は、上記カートリッジ７の詳細構造を模式的に表す拡大平面図である。図５において、カートリッジ７は、筐体７Ａと、この筐体７Ａ内に配置され帯状の基材テープ１０１が巻回された第１ロール１０２（実際は渦巻き状であるが、図では簡略的に同心円状に示す）と、上記基材テープ１０１と略同じ幅である透明な上記カバーフィルム１０３が巻回された第２ロール１０４（実際は渦巻き状であるが、図では簡略的に同心円状に示す）と、インクリボン１０５（熱転写リボン、但し被印字テープが感熱テープの場合は不要）を繰り出すリボン供給側ロール２１１と、印字後のリボン１０５を巻取るリボン巻取りローラ１０６と、カートリッジ７のテープ排出部３０の近傍に回転可能に支持されたテープ送りローラ２７とを有する。なお、上記基材テープ１０１と、基材テープ１０１にカバーフィルム１０２が貼り合わされた上記印字済みタグラベル用テープ１０９とが、タグ媒体を構成する。
【００６５】
テープ送りローラ２７は、上記基材テープ１０１と上記カバーフィルム１０３とを押圧し接着させ上記印字済みタグラベル用テープ１０９としつつ、図５中矢印Ａで示す方向にテープ送りを行う（＝圧着ローラとしても機能する）。
【００６６】
第１ロール１０２は、リール部材１０２ａの周りに、長手方向に複数のラベル作成用無線タグ回路素子Ｔoが所定の等間隔で順次形成された上記基材テープ１０１を巻回している。基材テープ１０１はこの例では４層構造となっており（図５中部分拡大図参照）、内側に巻かれる側（図５中右側）よりその反対側（図５中左側）へ向かって、適宜の粘着材からなる粘着層１０１ａ、ＰＥＴ（ポリエチレンテレフタラート）等から成る色付きのベースフィルム１０１ｂ、適宜の粘着材からなる粘着層１０１ｃ、剥離紙（剥離材）１０１ｄの順序で積層され構成されている。
【００６７】
ベースフィルム１０１ｂの裏側（図５中左側）には、ループコイル形状に構成され情報の送受信を行うタグ側アンテナ１５２がこの例では一体的に設けられており、これに接続するように情報を記憶するＩＣ回路部１５１が形成され、これらによってラベル作成用無線タグ回路素子Ｔoが構成されている。
【００６８】
ベースフィルム１０１ｂの表側（図５中右側）には、後にカバーフィルム１０３を接着するための上記粘着層１０１ａが形成され、またベースフィルム１０１ｂの裏側（図５中左側）には、ラベル作成用無線タグ回路素子Ｔoを内包するように設けた上記粘着層１０１ｃによって上記剥離紙１０１ｄがベースフィルム１０１ｂに接着されている。
【００６９】
なお、上記剥離紙１０１ｄは、最終的にラベル状に完成した無線タグラベルＴが所定の商品等に貼り付けられる際に、これを剥がすことで粘着層１０１ｃにより当該商品等に接着できるようにしたものである。また、この剥離紙１０１ｄの表面には、各ラベル作成用無線タグ回路素子Ｔoに対応した所定の位置（この例では、搬送方向前方側のタグ側アンテナ１５２の先端よりさらに前方側の位置）に、搬送制御用の所定の識別マーク（この例では黒塗りの識別マーク。あるいはレーザ加工等により基材テープ１０１を貫通する孔を穿孔する等でもよい。又はトムソン型での加工穴等でもよい）ＰＭが設けられている。
【００７０】
第２ロール１０４は、リール部材１０４ａの周りに上記カバーフィルム１０３を巻回している。第２ロール１０４より繰り出されるカバーフィルム１０３は、その裏面側（すなわち上記基材テープ１０１と接着される側）に配置された上記リボン供給側ロール２１１及び上記リボン巻取りローラ１０６で駆動されるリボン１０５が、上記印字ヘッド２３に押圧されることで当該カバーフィルム１０３の裏面に当接させられるようになっている。
【００７１】
リボン巻取りローラ１０６及びテープ送りローラ２７は、それぞれカートリッジ７外に設けた例えばパルスモータである搬送用モータ１１９（図３及び後述の図６参照）の駆動力が図示しないギヤ機構を介し上記リボン巻取りローラ駆動軸１０７及びテープ送りローラ駆動軸（搬送手段）１０８に伝達されることによって連動して回転駆動される。なお、上記印字ヘッド２３は、テープ送りローラ２７よりカバーフィルム１０３の搬送方向上流側に配置されている。
【００７２】
上記構成において、上記第１ロール１０２より繰り出された基材テープ１０１は、テープ送りローラ２７へと供給される。一方、第２ロール１０４より繰り出されるカバーフィルム１０３は、その裏面側（すなわち上記基材テープ１０１と接着される側）に配置されリボン供給側ロール２１１とリボン巻取りローラ１０６とにより駆動されるインクリボン１０５が、上記印字ヘッド２３に押圧されて当該カバーフィルム１０３の裏面に当接させられる。
【００７３】
そして、カートリッジ７が上記カートリッジホルダ６に装着されロールホルダ２５が上記リリース位置から上記印字位置に移動されると、カバーフィルム１０３及びインクリボン１０５が印字ヘッド２３とプラテンローラ２６との間に狭持されるとともに、基材テープ１０１及びカバーフィルム１０３がテープ送りローラ２７と圧着ローラ２８との間に狭持される。そして、搬送用モータ１１９の駆動力によってリボン巻取りローラ１０６及びテープ送りローラ２７が図５中矢印Ｂ及び矢印Ｃで示す方向にそれぞれ同期して回転駆動される。このとき、前述のテープ送りローラ駆動軸１０８と上記圧着ローラ２８及びプラテンローラ２６はギヤ機構（図示せず）にて連結されており、テープ送りローラ駆動軸１０８の駆動に伴いテープ送りローラ２７、圧着ローラ２８及びプラテンローラ２６が回転し、第１ロール１０２から基材テープ１０１が繰り出され、上述のようにテープ送りローラ２７へ供給される。一方、第２ロール１０４からはカバーフィルム１０３が繰り出されるとともに、印刷駆動回路１２０（後述の図６参照）により印字ヘッド２３の複数の発熱素子が通電される。この結果、カバーフィルム１０３の裏面に、貼り合わせ対象となる基材テープ１０１上のラベル作成用無線タグ回路素子Ｔoに対応した印字Ｒ（後述の図８参照）が印刷される。そして、上記基材テープ１０１と上記印刷が終了したカバーフィルム１０３とが上記テープ送りローラ２７及び圧着ローラ２８により接着されて一体化されて印字済みタグラベル用テープ１０９として形成され、テープ排出部３０（図４参照）よりカートリッジ７外へと搬出される。カバーフィルム１０３への印字が終了したインクリボン１０５は、リボン巻取りローラ駆動軸１０７の駆動によりリボン巻取りローラ１０６に巻取られる。
【００７４】
また、カートリッジホルダ６の対応する位置には、カートリッジ７の装着状態を検出するカートリッジセンサ８１が設けられており、このカートリッジセンサ８１の検出信号が制御回路１１０（後述の図６参照）へ入力されるようになっている。
【００７５】
そして、上述のように貼り合わされて生成された印字済みタグラベル用テープ１０９に対し上記ラベル作成用ループアンテナＬＣ１によりラベル作成用無線タグ回路素子Ｔoに情報読み取り又は書き込みが行われた後、自動的にあるいは上記カッター駆動ボタン１６（図２参照）を操作することにより切断機構１５によって印字済みタグラベル用テープ１０９が切断され、無線タグラベルＴが生成される。この無線タグラベルＴは、その後さらに上記ラベル排出機構２２によってラベル排出口１１（図２、図４参照）から排出される。
【００７６】
図６は、本実施形態の無線タグ情報通信装置１の制御系を表す機能ブロック図である。図６において、この無線タグ情報通信装置１の制御基板（図示せず）上には、制御回路１１０が配置されている。
【００７７】
制御回路１１０には、各機器を制御するＣＰＵ１１１と、このＣＰＵ１１１にデータバス１１２を介して接続された入出力インタフェース１１３と、ＣＧＲＯＭ１１４と、ＲＯＭ１１５，１１６と、ＲＡＭ１１７と、送信回路３０６と、受信回路３０７と、アンテナ共用器２４０とが設けられている。
【００７８】
ＲＯＭ１１６には、上記ＰＣ１１８からの操作入力信号に対応させて、印字バッファのデータを読み出して上記印字ヘッド２３、搬送用モータ１１９、テープ排出モータ６５を駆動する印字駆動制御プログラム、印字終了した場合に印字済みタグラベル用テープ１０９を切断位置まで搬送用モータ１１９を駆動して搬送し、上記カッターモータ４３を駆動して印字済みタグラベル用テープ１０９を切断する切断駆動制御プログラム、切断された印字済みタグラベル用テープ１０９（＝無線タグラベルＴ）をテープ排出モータ６５を駆動してラベル排出口１１から強制的に排出するテープ排出プログラム、ラベル作成用又は情報取得用の無線タグ回路素子Ｔoに対する問いかけ信号や書き込み信号などのアクセス情報を生成して送信回路に出力する送信プログラム、受信回路から入力された応答信号などを処理する受信プログラム、その他タグラベル作成装置１の制御上必要な各種のプログラムが格納されている。ＣＰＵ１１１は、このようなＲＯＭ１１６に記憶されている各種プログラムに基づいて各種の演算を行う。
【００７９】
ＲＡＭ１１７には、テキストメモリ１１７Ａ、印字バッファ１１７Ｂ、パラメータ記憶エリア１１７Ｅ等が設けられている。テキストメモリ１１７Ａには、ＰＣ１１８から入力された文書データが格納される。印字バッファ１１７Ｂには、複数の文字や記号等の印字用ドットパターンや各ドットの形成エネルギ量である印加パルス数等がドットパターンデータとして格納され、印字ヘッド２３はこの印字バッファ１１７Ｂに記憶されているドットパターンデータに従ってドット印字を行う。パラメータ記憶エリア１１７Ｅには、各種演算データや、情報読み取り（取得）が行われた情報取得用無線タグ回路素子Ｔo（前述）のタグ識別情報（ＵＩＤ）等が記憶される。
【００８０】
入出力インタフェース１１３には、ＰＣ１１８と、印字ヘッド２３を駆動するための上記印刷駆動回路１２０と、搬送用モータ１１９を駆動するための搬送用モータ駆動回路１２１と、カッターモータ４３を駆動するためのカッターモータ駆動回路１２２と、ハーフカッタモータ１２９を駆動するためのハーフカッタモータ駆動回路１２８と、テープ排出モータ６５を駆動するためのテープ排出モータ駆動回路１２３と、上記ループアンテナＬＣ１，ＬＣ２を介してラベル作成用又は情報取得用無線タグ回路素子Ｔoにアクセスする(読取り／書込みを行う)ための搬送波を発生させるとともに、上記制御回路１１０から入力される制御信号に基づいて上記搬送波を変調して質問波を出力する送信回路３０６（情報生成手段）と、ラベル作成用又は情報取得用無線タグ回路素子Ｔoから上記ループアンテナＬＣ１，ＬＣ２を介して受信された応答波（応答信号）の復調を行い、上記制御回路１１０に出力する受信回路３０７と、識別マークＰＭを検出する上記マークセンサ１２７と、上記カートリッジ７の装着状態を検出する上記カートリッジセンサ８１と、操作スイッチ９０と、ＬＥＤ９１と、モニタ９２とが接続されている。
【００８１】
また、上記送信回路３０６及び受信回路３０７は、アンテナ共用器２４０及び切替回路８６を介してループアンテナＬＣ１，ＬＣ２に接続されている。切替回路８６は、制御回路１１０からの制御信号に基づき、上記アンテナ共用器２４０をラベル作成用ループアンテナＬＣ１又は情報取得用ループアンテナＬＣ２に接続するように切り替える。具体的には、制御回路１１０は、処理モードとしてラベル作成処理モードが選択されているときは、アンテナ共用器２４０とラベル作成用ループアンテナＬＣ１とを接続し、処理モードとして情報取得処理モードが選択されているときは、アンテナ共用器２４０と情報取得用ループアンテナＬＣ２とを接続するように、上記切替回路８６を制御する。
【００８２】
このような制御回路１１０を核とする制御系において、ＰＣ１１８を介して文字データ等が入力された場合、そのテキスト（文書データ）がテキストメモリ１１７Ａに順次記憶されるとともに、印字ヘッド２３が駆動回路１２０を介して駆動され、各発熱素子が１ライン分の印字ドットに対応して選択的に発熱駆動されて印字バッファ１１７Ｂに記憶されたドットパターンデータの印字を行い、これと同期して搬送用モータ１１９が駆動回路１２１を介してテープの搬送制御を行う。また、送信回路３０６が制御回路１１０からの制御信号に基づき搬送波の変調制御を行い質問波を出力するとともに、受信回路３０７は制御回路１１０からの制御信号に基づき復調した信号の処理を行う。
【００８３】
図７は、上記ラベル作成用又は情報取得用無線タグ回路素子Ｔoの機能的構成を表す機能ブロック図である。この図７において、ラベル作成用又は情報取得用無線タグ回路素子Ｔoは、無線タグ情報通信装置１側のループアンテナＬＣ１，ＬＣ２と磁気誘導により非接触で信号の送受信を行う上記ループアンテナ１５２と、このループアンテナ１５２に接続された上記ＩＣ回路部１５１とを有している。
【００８４】
ＩＣ回路部１５１は、ループアンテナ１５２により受信された質問波を整流する整流部１５３と、この整流部１５３により整流された質問波のエネルギを蓄積し駆動電源とするための電源部１５４と、上記ループアンテナ１５２により受信された質問波からクロック信号を抽出して制御部１５５に供給するクロック抽出部１５６と、所定の情報信号を記憶し得るメモリ部１５７と、上記ループアンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００８５】
変復調部１５８は、ループアンテナ１５２により受信された上記タグラベル作成装置１のループアンテナＬＣ１，ＬＣ２からの通信信号の復調を行うと共に、上記制御部１５５からの応答信号に基づき、ループアンテナ１５２より受信された質問波を変調反射し応答波として返信する。
【００８６】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００８７】
図８は、上述のような構成である無線タグ情報通信装置１によりラベル作成用無線タグ回路素子Ｔoの情報書き込み（又は読み取り）及び印字済みタグラベル用テープ１０９の切断が完了し形成された無線タグラベルＴの外観の一例を表す図であり、図８（ａ）は上面図、図８（ｂ）は下面図である。また図９（ａ）は、図８中IXA−IXA′断面による横断面図を反時計方向に９０°回転させた図であり、図９（ｂ）は、図８中IXB−IXB′断面による横断面図を反時計方向に９０°回転させた図である。
【００８８】
これら図８及び図９において、無線タグラベルＴは、前述したように図５に示した４層構造にカバーフィルム１０３が加わった５層構造となっており、カバーフィルム１０３側（図９中上側）よりその反対側（図９中下側）へ向かって、カバーフィルム１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたループアンテナ１５２を含むラベル作成用無線タグ回路素子Ｔoがベースフィルム１０１ｂ及び粘着層１０１ｃ内に備えられるとともに、カバーフィルム１０３の裏面にラベル作成用無線タグ回路素子Ｔoの記憶情報等に対応したラベル印字Ｒ（この例では無線タグラベルＴの種類を示す「ＲＦ−ＩＤ」の文字）が印刷されている。
【００８９】
また、カバーフィルム１０３、粘着層１０１ａ、ベースフィルム１０１ｂ、粘着層１０１ｃには、既に述べたように上記ハーフカッタ３４によってテープ幅方向に略沿ってハーフカット線ＨＣ（半切断部位。但しこの例では前ハーフカット線ＨＣ1及び後ハーフカット線ＨＣ2の２本。）が形成されている。カバーフィルム１０３のうち、これらハーフカット線ＨＣ1，ＨＣ2の間に挟まれた領域がラベル印字Ｒが印刷される印字領域Ｓとなり、印字領域Ｓよりハーフカット線ＨＣ1，ＨＣ2を挟んでテープ長手方向両側がそれぞれ前余白領域Ｓ1及び後余白領域Ｓ2となっている。
【００９０】
上記のような基本構成であるタグラベル作成装置１においては、前述したように、筐体２００内でラベル作成用無線タグ回路素子Ｔoを用いて無線タグラベルＴを作成するラベル作成処理モードと、装置１外部の情報取得用無線タグ回路素子から情報読み取り（取得）を行う情報取得処理モードとを実行可能である。すなわち、ラベル作成処理モードでは、ラベル作成用無線タグ回路素子Ｔoを備えた基材テープ１０１がテープ送りローラ２７で搬送され、ラベル作成用ループアンテナＬＣ１を介しラベル作成用無線タグ回路素子Ｔoに対し情報送受信が行われ、無線タグラベルＴが作成される。一方、情報取得処理モードでは、情報取得用ループアンテナＬＣ２を介し筐体２００の外部に位置する情報取得用無線タグ回路素子Ｔoと情報送受信が行われることで所定の無線タグ情報が読み取られ、取得される。
【００９１】
図１０は、制御回路１１０の上記ＣＰＵ１１１が実行する、上記情報取得処理（以下、適宜、スキャンという）に関する詳細手順を表すフローチャートである。なお、この情報取得処理は、カートリッジ７が装置１内に装着されているか否かに拘らず、電源がＯＮの時には常時動作するように制御回路１１０で設定されている。
【００９２】
この図１０において、まずステップＳ５０５で、入出力インターフェース１１３を介し、上記操作スイッチ９０の操作信号を入力（識別）する。
【００９３】
その後、ステップＳ５１０に移り、上記ステップＳ５０５で入力した操作信号に基づき、操作者が情報取得処理モードを実行する操作を行ったか、すなわち上記操作スイッチ９０が押下位置に操作されたかを判定する。押下操作がない場合には、判定が満たされずにステップＳ５６０においてスキャン実施中かどうかを表すスキャン実施フラグＦｓの値を０として本フローを終了する。押下操作があった場合には判定が満たされ、次のステップＳ５２０に移る。
【００９４】
ステップＳ５２０では、スキャン実施フラグＦｓ＝１とした後、ステップＳ６００に移る。
【００９５】
ステップＳ６００では、情報取得用無線タグ回路素子ＴoのＩＣ回路部１５１の記憶データを読み取るスキャン処理が行われる（後述の図１１参照）。このステップＳ６００のスキャン処理が完了すると、次のステップＳ５３０に移る。
【００９６】
ステップＳ５３０では、通信エラーがあったかどうかを表すフラグＦ（後述の図１１参照）が１であるかどうかを判定する。上記ステップＳ６００におけるスキャン処理が不調であった（通信エラーであった場合）Ｆ＝１となっている（図１１のステップＳ６８０参照）ことから判定が満たされて、ステップＳ５６０においてスキャン実施フラグＦｓ＝０として本フローを終了する。Ｆ＝０の場合（通信エラーが生じず情報を取得できた場合）には判定が満たされ、次のステップＳ５４０に移る。
【００９７】
ステップＳ５４０では、上記ステップＳ６００で受信したリプライ信号に基づき読み取り対象である情報取得用無線タグ回路素子Ｔoから取得した無線タグ情報を、適宜処理する。当該処理としては、例えば、モニタ９２に読み取った情報を表示したり、入出力インターフェース１１３及び通信回線ＮＷを介して出力し、情報サーバＩＳやルートサーバＲＳに必要に応じてＰＣ１１８より参照可能に格納したり、モニタ９２やＰＣ１１８の表示手段で表示する等が挙げられる。そして、ステップＳ５６０と同様にステップＳ５５０においてスキャン実施フラグＦｓ＝０としてこのフローを終了する。
【００９８】
図１１は、上記図１０におけるステップＳ６００の詳細手順を表すフローチャートである。
【００９９】
図１１において、まずステップＳ６１０で、切替回路８６に切替制御信号を出力し、アンテナ共用器２４０と情報取得用ループアンテナＬＣ２とを接続させる。
【０１００】
その後、ステップＳ６２０では、無線タグ回路素子Ｔoに記憶されたＩＤ情報を取得するための問合せ信号（この例ではタグＩＤ読取コマンド信号）として、所定の変調を行った質問波を、ループアンテナＬＣを介して読み取り対象である情報取得用無線タグ回路素子Ｔoに送信し、返信を促す。
【０１０１】
次いで、ステップＳ６３０において、上記問合せ信号に対応して読み取り対象の情報取得用無線タグ回路素子Ｔoから送信されたリプライ信号（タグＩＤ等の無線タグ情報を含む）を情報取得用ループアンテナＬＣ２を介して受信し、受信回路３０７を介し取り込む。
【０１０２】
次いで、ステップＳ６４０において、受信したリプライ信号に誤りがないか否かを公知の誤り検出符号（ＣＲＣ符号；Cyclic  Redundancy  Check等）を用いて判定する。
【０１０３】
判定が満たされない場合はステップＳ６５０に移ってＫ（通信不調時の再試行回数をカウントするための変数であり、当初は０に初期化されているものとする）に１を加え、さらにステップＳ６６０においてＫが予め定められた所定のリトライ回数（この例では５回。それ以外の回数に適宜設定してもよい）となったかどうかが判定される。Ｋ≦４の場合は判定が満たされずステップＳ６２０に戻り、同様の手順を繰り返す。Ｋ＝５の場合はステップＳ６７０に移り、ステップＳ６８０で通信エラーの有無を表すフラグＦ（当初は０に初期化されているものとする）を１にした後、エラー表示信号を入出力インターフェイス１１３介しモニタ９２あるいはＬＥＤ９１に出力して読み取り失敗（エラー）表示を行わせ、本フローを終了する。
【０１０４】
このようにして読み取りが不調でも所定回数（この例では５回）までは再試行が行われ、５回まで不調に終わるとＦ＝１となることで、上記図１０のステップＳ５３０の判定が満たされてステップＳ５６０でＦｓ＝０となる。つまり、操作スイッチ９０により処理モードが情報取得処理モードに切り替えられた後、問い合わせ信号（アクセス情報）を所定回数出力したら、情報取得処理モードへの切り替えが強制的に解除されることとなる。
【０１０５】
一方、ステップＳ６４０の判定が満たされた場合、読み取り対象とする情報取得用無線タグ回路素子Ｔoからの無線タグ情報の読み取りが完了し、本フローを終了する。
【０１０６】
図１２は、タグラベル作成処理の詳細手順を表すフローチャートである。なお、上記図１０の情報取得処理のフローは電源ＯＮの時に常時動作するのに対して、この図１２のフローは、ＰＣ１１８によるタグラベル作成装置１に対する操作者の指示により動作開始する。つまり、図１２のフローが動作している際には、図１０のフローも同時に並行して動作していることになる（このような同時並行処理は、例えば、コンピュータのＯＳ等でしばしば行われる、「マルチタスク処理」と同様の公知の方式により、１つのＣＰＵ１１１に行わせることができる）。
【０１０７】
図１２において、まずステップＳ１０２で、前述のスキャン実施フラグＦｓが０かどうかを判定する。スキャン実施フラグＦｓが０になるまで本ステップＳ１０２を繰り返し、スキャン実施フラグＦｓが０になったら判定が満たされて次のステップＳ１０５に移る。これにより、スキャン実施フラグＦｓが１である（言い換えれば上記図１０におけるステップＳ６００〜ステップＳ５４０の処理が実行されている）間は、本フローのタグラベル作成処理が中断されることとなる。
【０１０８】
ステップＳ１０５では、上記ＰＣ１１８からの操作信号に基づき、印刷データやラベル作成用無線タグ回路素子Ｔoとの通信データ（書き込みデータ）、前・後ハーフカット位置やフルカット位置の設定等を行なう準備処理を実行する。この準備処理に必要な情報をＰＣ１１８より操作・編集入力して行うことで、利便性を向上することができる。
【０１０９】
次に、ステップＳ１１０において、ラベル作成用ループアンテナＬＣ１からラベル作成用無線タグ回路素子Ｔoへ通信を行う際、ラベル作成用無線タグ回路素子Ｔoからの応答がない場合に通信再試行（リトライ）を行う回数（アクセス試行回数）をカウントする変数Ｍ、Ｎを０に初期化設定する（後述の図１６参照）。
【０１１０】
その後、ステップＳ１１５に移り、入出力インターフェース１１３を介し搬送用モータ駆動回路１２１に制御信号を出力し、搬送用モータ１１９の駆動力によってテープ送りローラ２７及びリボン巻取りローラ１０６を回転駆動させる。さらに、テープ排出モータ駆動回路１２３を介してテープ排出モータ６５に制御信号を出力し、駆動ローラ５１を回転駆動させる。これらにより、第１ロール１０２から基材テープ１０１が繰り出されテープ送りローラ２７へ供給されるとともに、第２ロール１０４からはカバーフィルム１０３が繰り出され、これら基材テープ１０１とカバーフィルム１０３とが上記テープ送りローラ２７及びサブローラ１０９により接着されて一体化されて印字済みタグラベル用テープ１０９として形成され搬送される。
【０１１１】
その後、ステップＳ１２０において、入出力インターフェース１１３を介し入力されたマーク検出センサ１２７の検出信号に基づき、基材テープ１０１の上記識別子ＰＭが検出されたかどうか（言い換えればカバーフィルム１０３が印字ヘッド２３による印刷開始位置まで到達したかどうか）を判定する。識別子ＰＭが検出されたら、判定が満たされて次のステップＳ１２５に移る。
【０１１２】
識別子ＰＭが検出されない（言い換えればカバーフィルム１０３が印刷開始位置まで到達していない）ときは、ステップＳ１２２に移り、スキャン実施フラグＦｓが１であるかどうかを判定する。スキャン実施フラグＦｓが１である（スキャン処理が実行されている）ときは、ステップＳ１２４においてラベル作成中断処理を実行してステップＳ１２０に戻る。スキャン実施フラグＦｓが１でない（スキャン処理が実行されていない）ときは、ステップＳ１２０に戻り、同様の手順を繰り返す。
【０１１３】
ステップＳ１２５では、入出力インターフェース１１３を介し印刷駆動回路１２０に制御信号を出力し、印字ヘッド２３を通電して、カバーフィルム１０３のうち前述した印字領域Ｓ（＝基材テープ１０１に所定ピッチで等間隔で配置されたラベル作成用無線タグ回路素子Ｔoの裏面にほぼ貼り合わせることとなる領域）に、ステップＳ１０５で生成した印刷データに対応した文字、記号、バーコード等のラベル印字Ｒの印刷を開始する。
【０１１４】
その後、ステップＳ１３０において、印字済みタグラベル用テープ１０９が先のステップＳ１０５で設定した前ハーフカット位置まで搬送されたかどうか（言い換えればハーフカット機構３５のハーフカッタ３４が前ハーフカット線ＨＣ1に正対する位置まで印字済みタグラベル用テープ１０９が到達したかどうか）を判定する。このときの判定は、例えば、上記ステップＳ１２０において基材テープ１０１の識別子ＰＭを検出した後の搬送距離を所定の公知の方法で検出すればよい（パルスモータである搬送用モータ１１９を駆動する搬送用モータ駆動回路１２１の出力するパルス数をカウントする等）。
【０１１５】
印字済みタグラベル用テープ１０９が前ハーフカット位置に到達していないときは判定が満たされず、ステップＳ１３２に移り、スキャン実施フラグＦｓが１であるかどうかを判定する。スキャン実施フラグＦｓが１である（スキャン処理が実行されている）ときは、ステップＳ１３４においてラベル作成中断処理を実行してステップＳ１３０に戻り、スキャン実施フラグＦｓが１でない（スキャン処理が実行されていない）ときは、ステップＳ１３０に戻り、同様の手順を繰り返す。
【０１１６】
一方、印字済みタグラベル用テープ１０９が前ハーフカット位置に到達したら、ステップＳ１３０の判定が満たされて次のステップＳ１３５に移る。
【０１１７】
ステップＳ１３５では、入出力インターフェース１１３を介し搬送用モータ駆動回路１２１及びテープ排出モータ駆動回路１２３に制御信号を出力し、搬送用モータ１１９及びテープ排出モータ６５の駆動を停止して、テープ送りローラ２７、リボン巻取りローラ１０６、駆動ローラ５１の回転を停止する。これにより、カートリッジ７から繰り出された印字済みタグラベル用テープ１０９が排出方向に移動する過程で、ステップＳ１０５で設定した前ハーフカット線ＨＣ1にハーフカット機構３５のハーフカッタ３４が正対した状態で、第１ロール１０２からの基材テープ１０１の繰り出し、第２ロール１０４からのカバーフィルム１０３の繰り出し、及び印字済みタグラベル用テープ１０９の搬送が停止する。またこのとき、入出力インターフェース１１３を介し印刷駆動回路１２０にも制御信号を出力し、印字ヘッド２３の通電を停止して、上記ラベル印字Ｒの印刷を停止（印刷中断）する。
【０１１８】
その後、ステップＳ１４０で、入出力インターフェース１１３を介しハーフカッタモータ駆動回路１２８に制御信号を出力してハーフカッタモータ１２９を駆動し、ハーフカッタ３４を回動させて、印字済みタグラベル用テープ１０９のカバーフィルム１０３、粘着層１０１ａ、ベースフィルム１０１ｂ及び粘着層１０１ｃを切断して前ハーフカット線ＨＣ1を形成する前ハーフカット処理を行う。
【０１１９】
そして、ステップＳ１４５に移り、上記ステップＳ１１５と同様にしてテープ送りローラ２７、リボン巻取りローラ１０６、駆動ローラ５１を回転駆動させて印字済みタグラベル用テープ１０９の搬送を再開するとともに、ステップＳ１２５と同様にして印字ヘッド２３に通電してラベル印字Ｒの印刷を再開する。
【０１２０】
その後、ステップＳ１５０において、搬送される印字済みタグラベル用テープ１０９が所定値（例えば、対応する印字が施されたカバーフィルム１０３が貼り合わされたラベル作成用無線タグ回路素子Ｔoがラベル作成用ループアンテナＬＣ１に到達するだけの搬送距離）だけ搬送されたかどうかを判断する。このときの搬送距離判定も、上記ステップＳ１３０と同様に、パルスモータである搬送用モータ１１９を駆動する搬送用モータ駆動回路１２１の出力するパルス数をカウントする等により行えば足りる。
【０１２１】
印字済みタグラベル用テープ１０９が所定値搬送されていないときは、ステップＳ１５２に移り、スキャン実施フラグＦｓが１であるかどうかを判定する。スキャン実施フラグＦｓが１である（スキャン処理が実行されている）ときは、ステップＳ１５４においてラベル作成中断処理を実行してステップＳ１５０に戻り、スキャン実施フラグＦｓが１でない（スキャン処理が実行されていない）ときは、ステップＳ１５０に戻り、同様の手順を繰り返す。
【０１２２】
一方、印字済みタグラベル用テープ１０９が所定値搬送されたら、ステップＳ１５０の判定が満たされ、次のステップＳ２００に移る。
【０１２３】
次のステップＳ２００では、タグアクセス処理を行う。すなわち、ラベル作成用無線タグ回路素子Ｔoの通信位置（ラベル作成用無線タグ回路素子Ｔoがラベル作成用ループアンテナＬＣ１と正対する位置）まで搬送したら搬送及び印字を停止して情報送受信を行い、その後搬送及び印字を再開して印字を完了させ、さらに搬送して後ハーフカット位置で搬送を停止して後ハーフカット線ＨＣ2の形成を行う（後述の図１５参照）。
【０１２４】
以上のようにしてステップＳ２００が終了したら、ステップＳ１５５に移る（なおこの時点でステップＳ２００において印字済みタグラベル用テープ１０９の搬送が再開されている）。ステップＳ１５５では、印字済みタグラベル用テープ１０９が前述したフルカット位置まで搬送されたかどうか（言い換えれば切断機構１５の可動刃４１がステップＳ１０５で設定したフルカット位置に正対する位置まで印字済みタグラベル用テープ１０９が到達したかどうか）を判定する。このときの判定も、前述と同様、例えば、上記ステップＳ１２０において基材テープ１０１の識別子ＰＭを検出した後の搬送距離を所定の公知の方法で検出すればよい（パルスモータである搬送用モータ１１９を駆動する搬送用モータ駆動回路１２１の出力するパルス数をカウントする等）。フルカット位置に到達するまで判定が満たされずこの手順を繰り返し、到達したら判定が満たされて次のステップＳ１６０に移る。
【０１２５】
ステップＳ１６０では、上記ステップＳ１３５と同様にして、テープ送りローラ２７、リボン巻取りローラ１０６、駆動ローラ５１の回転を停止して印字済みタグラベル用テープ１０９の搬送を停止する。これにより、ステップＳ１０５で設定したフルカット位置に切断機構１５の可動刃４１が正対した状態で、第１ロール１０２からの基材テープ１０１の繰り出し、第２ロール１０４からのカバーフィルム１０３の繰り出し、及び印字済みタグラベル用テープ１０９の搬送が停止する。
【０１２６】
その後、ステップＳ１６５において、カッタモータ駆動回路１２２に制御信号を出力してカッターモータ４３を駆動し、切断機構１５の可動刃４１を回動させて、印字済みタグラベル用テープ１０９のカバーフィルム１０３、粘着層１０１ａ、ベースフィルム１０１ｂ、粘着層１０１ｃ及び剥離紙１０１ｄをすべて切断（分断）して切断線を形成するフルカット処理を行う。この切断機構１５による分断によって印字済みタグラベル用テープ１０９から切り離され、ラベル作成用無線タグ回路素子Ｔoの無線タグ情報が読み取られかつこれに対応する所定の印字が行われたラベル状の無線タグラベルＴが生成される。
【０１２７】
その後、ステップＳ１７０に移り、入出力インターフェース１１３を介してテープ排出モータ駆動回路１２３に制御信号を出力し、テープ排出モータ６５の駆動を再開して、駆動ローラ５１を回転させる。これにより、駆動ローラ５１による搬送が再開されて上記ステップＳ１６５でラベル状に生成された無線タグラベルＴがラベル排出口１１へ向かって搬送され、ラベル排出口１１から装置外へと排出し、このフローを終了する。
【０１２８】
図１３は、上記図１２におけるステップＳ１２４の詳細手順を表すフローチャートである。
【０１２９】
まずステップＳ１８１において、上記図１２におけるステップＳ１３５と同様にして、印字済みタグラベル用テープ１０９の搬送を停止させる。その後、ステップＳ１８２において、上記スキャン実施フラグＦｓが０である（スキャン処理が実行されていない）かどうかを判定する。スキャン実施フラグＦｓが０でなく１であるときは判定が満たされず、ステップＳ１８１に戻って同様の手順を繰り返す。スキャン実施フラグＦｓが０であるときは、ステップＳ１８２の判定が満たされてステップＳ１８３に移り、上記図１２におけるステップＳ１４５と同様にして、印字済みタグラベル用テープ１０９の搬送を再開し、本フローを終了する。
【０１３０】
図１４は、上記図１２におけるステップＳ１３４及びステップＳ１５４の詳細手順を表すフローチャートである（ステップＳ２１４については後述）。
【０１３１】
まずステップＳ１８５において、上記図１２におけるステップＳ１３５と同様にして、印字済みタグラベル用テープ１０９の搬送及びラベル印字Ｒの印刷を停止させる。その後、ステップＳ１８６において、スキャン実施フラグＦｓが０である（スキャン処理が実行されていない）かどうかを判定する。スキャン実施フラグＦｓが０でなく１であるときは判定が満たされず、ステップＳ１８５に戻って同様の手順を繰り返す。一方スキャン実施フラグＦｓが０であるときはステップＳ１８６の判定が満たされてステップＳ１８７に移り、上記図１２におけるステップＳ１４５と同様にして、印字済みタグラベル用テープ１０９の搬送及びラベル印字Ｒの印刷を再開し、本フローを終了する。
【０１３２】
図１５は、上述したステップＳ２００の詳細手順を表すフローチャートである。
【０１３３】
まずステップＳ２１０において、印字済みタグラベル用テープ１０９が前述したラベル作成用ループアンテナＬＣ１との通信位置まで搬送されたかどうかを判定する。このときの判定も、前述した図１２のステップＳ１３０と同様、例えば、上記ステップＳ１２０において基材テープ１０１の識別子ＰＭを検出した後の搬送距離を所定の公知の方法で検出すればよい。
【０１３４】
印字済みタグラベル用テープ１０９が通信位置に到達していないときは、ステップＳ２１０の判定が満たされずステップＳ２１２に移り、スキャン実施フラグＦｓが１であるかどうかを判定する。スキャン実施フラグＦｓが１でない（スキャン処理が実行されていない）ときは、ステップＳ２１２の判定が満たされずステップＳ２１０に戻って同様の手順を繰り返す。スキャン実施フラグＦｓが１である（スキャン処理が実行されている）ときは、ステップＳ２１２の判定が満たされてステップＳ２１４に移り、上記図１４に示したラベル作成中断処理を実行してステップＳ２１０に戻り同様の手順を繰り返す。
【０１３５】
一方、印字済みタグラベル用テープ１０９が通信位置に到達したら、ステップＳ２１０の判定が満たされて次のステップＳ２２０に移る。
【０１３６】
ステップＳ２２０では、上記ステップＳ１３５と同様にして、テープ送りローラ２７、リボン巻取りローラ１０６、駆動ローラ５１の回転を停止し、ラベル作成用無線タグ回路素子Ｔoにラベル作成用ループアンテナＬＣ１が略正対した状態で印字済みタグラベル用テープ１０９の搬送が停止する。また、印字ヘッド２３の通電を停止して、上記ラベル印字Ｒの印刷を停止（中断）する。
【０１３７】
続いて、ステップＳ４００において、ラベル作成用ループアンテナＬＣ１とラベル作成用無線タグ回路素子Ｔoとの間で無線通信により情報の送受信を行い、ラベル作成用無線タグ回路素子ＴoのＩＣ回路部１５１に対し図１２の上記ステップＳ１０５で作成した情報を書き込む（又はＩＣ回路部１５１に予め記憶されていた情報を読み取る）情報送受信処理を行う（詳細は後述の図１６参照）。
【０１３８】
その後、ステップＳ２４０に移り、図１２のステップＳ１４５と同様にして、テープ送りローラ２７、リボン巻取りローラ１０６、駆動ローラ５１を回転駆動させて印字済みタグラベル用テープ１０９の搬送を再開するとともに、印字ヘッド２３に通電してラベル印字Ｒの印刷を再開する。
【０１３９】
その後、ステップＳ２５０に移り、印字済みタグラベル用テープ１０９が前述した印刷終了位置（図１２中ステップＳ１０５で算出）まで搬送されたかどうかを判定する。このときの判定も、前述と同様、例えば、上記ステップＳ１２０において識別子ＰＭを検出した後の搬送距離を所定の公知の方法で検出すればよい。印刷終了位置に到達するまで判定が満たされずこの手順を繰り返し、印刷終了位置に到達したら判定が満たされて次のステップＳ２６０に移る。
【０１４０】
ステップＳ２６０では、図１２のステップＳ１３５と同様にして、印字ヘッド２３の通電を停止して、上記ラベル印字Ｒの印刷を停止する。これによって、印字領域Ｓに対するラベル印字Ｒの印刷が完了する。
【０１４１】
その後、ステップＳ２７０に移り、所定の後ハーフカット位置まで搬送した後にハーフカッタ３４によって後ハーフカット線ＨＣ2の形成を行う後ハーフカット処理を行う。以上によりこのルーチンを終了する。
【０１４２】
図１６は、上述したステップＳ４００の詳細手順を表すフローチャートである。なおこの例では、前述の情報書き込み及び情報読み取りのうち、情報書込みを例にとって説明する。
【０１４３】
図１６において、まずステップＳ４０２で、切替回路８６に切替制御信号を出力し、アンテナ共用器２４０とラベル作成用ループアンテナＬＣ１とを接続させる。
【０１４４】
その後、ステップＳ４０５に移り、入出力インターフェース１１３を介し前述の送信回路３０６に制御信号を出力し、ラベル作成用無線タグ回路素子Ｔoの記憶されたＩＤ情報を取得するための問合せ信号（この例ではタグＩＤ読取コマンド信号）として、所定の変調を行った質問波をラベル作成用ループアンテナＬＣ１を介して書き込み対象のラベル作成用無線タグ回路素子Ｔoに送信する。これにより、ラベル作成用無線タグ回路素子Ｔoの上記メモリ部１５７を初期化する。
【０１４５】
その後、ステップＳ４１５において、上記タグＩＤ読取コマンド信号に対応して書き込み対象のラベル作成用無線タグ回路素子Ｔoから送信されたリプライ信号（タグＩＤを含む）をラベル作成用ループアンテナＬＣ１を介して受信し、受信回路３０７及び入出力インターフェース１１３を介し取り込む。
【０１４６】
次に、ステップＳ４２０において、上記受信したリプライ信号に基づき、当該ラベル作成用無線タグ回路素子ＴoのタグＩＤが正常に読み取れたか否かを判定する。
【０１４７】
判定が満たされない場合はステップＳ４２５に移ってＭに１を加え、さらにステップＳ４３０においてＭ＝５かどうかが判定される。Ｍ≦４の場合は判定が満たされずステップＳ４０５に戻り同様の手順を繰り返す。Ｍ＝５の場合はステップＳ４３５に移り、エラー表示信号を入出力インターフェース１１３を介し上記ＰＣ１１８へ出力し、対応する書き込み失敗（エラー）表示を行わせ、このルーチンを終了する。このようにして初期化が不調でも５回までは再試行が行われる。
【０１４８】
ステップＳ４２０の判定が満たされた場合、ステップＳ４４０に移り、送信回路３０６に制御信号を出力し、ステップＳ４１５にて読み取ったタグＩＤを指定して該当するタグに所望のデータをメモリ部１５７に書き込む信号（この例ではWrite コマンド信号）として、所定の変調を行った質問波をラベル作成用ループアンテナＬＣ１を介して情報書き込み対象のラベル作成用無線タグ回路素子Ｔoに送信し、情報を書き込む。
【０１４９】
その後、ステップＳ４４５において、送信回路３０６に制御信号を出力しステップＳ４１５にて読み取ったタグＩＤを指定して該当するタグのメモリ部１５７に記録されたデータを読み出す信号（この例ではRead コマンド信号）として所定の変調を行った質問波をラベル作成用ループアンテナＬＣ１を介して情報書き込み対象のラベル作成用無線タグ回路素子Ｔoに送信し、返信を促す。その後ステップＳ４５０において、上記Read コマンド信号に対応して書き込み対象のラベル作成用無線タグ回路素子Ｔoから送信されたリプライ信号をラベル作成用ループアンテナＬＣ１を介して受信し、受信回路３０７を介し取り込む。
【０１５０】
次に、ステップＳ４５５において、上記受信したリプライ信号に基づき、当該ラベル作成用無線タグ回路素子Ｔoのメモリ部１５７内に記憶された情報を確認し、公知の誤り検出符号（ＣＲＣ符号；Cyclic  Redundancy  Check等）を用いて、前述の送信した所定の情報がメモリ部１５７に正常に記憶されたか否かを判定する。
【０１５１】
判定が満たされない場合はステップＳ４６０に移ってＮに１を加え、さらにステップＳ４６５においてＮ＝５かどうかが判定される。Ｎ≦４の場合は判定が満たされずステップＳ４４０に戻り同様の手順を繰り返す。Ｎ＝５の場合は前述したステップＳ４３５に移り、同様にＰＣ１１８に対応する書き込み失敗（エラー）表示を行わせ、このルーチンを終了する。このようにして情報書き込みが不調でも５回までは再試行が行われる。
【０１５２】
ステップＳ４５５の判定が満たされた場合、ステップＳ４７０に移り、送信回路３０６に制御信号を出力し、ステップＳ４１５にて読み取ったタグＩＤを指定して該当するタグのメモリ部１５７に記録されたデータの上書きを禁止する信号（この例ではロックコマンド信号）として所定の変調を行った質問波をラベル作成用ループアンテナＬＣ１を介して情報書き込み対象のラベル作成用無線タグ回路素子Ｔoに送信し、当該ラベル作成用無線タグ回路素子Ｔoへの新たな情報の書き込みを禁止する。これにより、書き込み対象とするラベル作成用無線タグ回路素子Ｔoへの無線タグ情報の書き込みが完了する。
【０１５３】
その後、ステップＳ４８０に移り、上記ステップＳ４４０でラベル作成用無線タグ回路素子Ｔoに書き込まれた情報と、これに対応して既に印字ヘッド２３により印字領域Ｓに印字されるラベル印字Ｒの印字情報との組み合わせを、入出力インターフェース１１３及び通信回線ＮＷを介し出力され、情報サーバＩＳやルートサーバＲＳに記憶される。なお、この記憶データは必要に応じてＰＣ１１８より参照可能に例えば各サーバＩＳ，ＲＳのデータベース内に格納保持される。以上により、このルーチンを終了する。
【０１５４】
以上において、送信回路３０６は、ラベル作成用無線タグ回路素子又は情報取得用無線タグ回路素子にアクセスするためのアクセス情報を生成する情報生成手段を構成する。
【０１５５】
また、制御回路１１０が実行する図１０のステップＳ５１０、ステップＳ５２０、ステップＳ５３０、及びステップＳ５５０が、情報生成手段で生成したアクセス情報を用いて、ラベル作成用無線タグ回路素子を備えたタグ媒体を用いてタグラベル作成処理を行うためのラベル作成処理モード、及び、情報取得用無線タグ回路素子の情報取得処理を行うための情報取得処理モードを切り替え可能なモード切替手段を構成する。また操作スイッチ９０は、モード切替手段を情報取得処理モードへ切替操作するための操作手段を構成する。
【０１５６】
また、制御回路１１０が実行する図１０のステップＳ５０５の手順は、モード切替手段をラベル作成処理モードへ切替操作するための切替信号を入力する切替信号入力手段を構成する。
【０１５７】
以上説明した本実施形態においては、ラベル作成処理モードの実行時には、印字済みタグラベル用テープ１０９に備えられたラベル作成用無線タグ回路素子Ｔoに対し、ラベル作成用ループアンテナＬＣ１を介して情報の書き込みが行われ、更に当該印字済みタグラベル用テープ１０９が切断されることで、印字付の無線タグラベルＴが作成される。一方、情報取得処理モードの実行時には、筐体２００の外部に位置する情報取得用無線タグ回路素子Ｔoに記憶された情報が情報取得用ループアンテナＬＣ２を介して読み取られ、取得される。このように、１つの無線タグ情報通信装置１を使用して、タグラベル作成処理及び情報読み取り（取得）処理の両方が行えるので、ラベル作成装置及び情報読み取り装置の両方を別々に用意する場合に比べて、装置構成の簡素化及び利用者のコスト負担の低減を図ることができる。
【０１５８】
このとき、タグラベル作成処理は、ネットワーク接続されたＰＣ１１８等を介し無線タグ情報通信装置１から遠く離れた場所からでも操作者が実行可能であるが、情報取得処理は、対象物に添付、貼り付け等された情報取得用無線タグ回路素子Ｔoを情報取得用ループアンテナＬＣ２の通信距離範囲内に近づける必要がある。このため、情報取得処理を実施しようとする操作者は、無線タグ情報通信装置１の近くにいる場合が多い。これに対し本実施形態では、操作者が情報取得処理を行いたい場合には、装置本体２の前面若しくは上面に設けられた操作スイッチ９０を操作して、装置の動作状態を情報取得処理モードへ切り替えるようにする。これにより、その場で無線タグ情報通信装置１を確実に情報取得処理モードへ移行させ、対象となる情報取得用無線タグ回路素子Ｔoから情報取得を行うことができる。このように操作者の操作性を向上することができる。
【０１５９】
また、本実施形態では特に、図１０のステップＳ５２０でＦｓ＝１とした後、ステップＳ５５０又はステップＳ５６０でＦｓ＝０に戻すまではＦｓ＝０とならない。すなわち情報取得処理を実行しているときには、ＰＣ１１８からの操作信号に基づき図１２のフローが始まったとしても図１２のステップＳ１０２の判定が満たされることがなく、ラベル作成処理モードへの切り替えが禁止される。したがって、情報取得処理をタグラベル作成処理よりも高い優先度で実行させることができるので、無線タグ情報通信装置１の近くにいて現に情報取得処理を行っている操作者の利便性が（ＰＣによりラベル作成を行おうとした他者により）阻害されるのを防止することができる。
【０１６０】
また、本実施形態では特に、タグラベル作成処理を実行しているときに、操作スイッチ９０により情報取得処理モードへの切替操作があった場合、図１０のステップＳ５２０でＦｓ＝１とされることで、図１２のステップＳ１２２、又はステップＳ１３２、若しくはステップＳ１５２が満たされてステップＳ１２４、又はステップＳ１３４、若しくはステップＳ１５４でタグラベル作成処理の実行が中断される。一方ステップＳ５２０の次のステップＳ６００ではスキャン処理が実行されることから、実質的にラベル作成処理モードから情報取得処理モードへと強制的に切り替えられることとなる。これにより、操作者が無線タグ情報通信装置１の近くにいる場合が多い情報取得処理を、操作者が無線タグ情報通信装置１から遠く離れた場所からで（例えば通信回線ＮＷを介しＰＣ１１８等により）実行可能なタグラベル作成処理よりも優先して実行することができる。この結果、操作者は無線タグ情報通信装置１の近くに来れば必ず情報取得処理を行うことができるので、操作者の利便性を向上することができる。
【０１６１】
また、本実施形態では特に、操作スイッチ９０により情報取得処理モードへと切り替えた後、所定回数（図１１を用いて前述した例ではＫ＝５となる５回）のアクセス情報の送信が完了したら、ステップＳ６８０でＦ＝１として図１０のステップＳ５３０を経てステップＳ５６０でＦｓ＝０とすることで情報取得処理モードへの切り替えを自動的に解除する（ラベル作成モードから強制移行していた場合にはラベル作成モードに復帰する。そうでない場合は単に待機状態に戻る）。これにより、処理モード切替時の操作者の操作性をさらに向上することができる。また、情報取得処理モードの解除を失念することで無線タグラベルＴの作成ができなくなるのを未然に防止することができる。
【０１６２】
なお、本発明は、上記実施形態に限られるものではなく、その趣旨及び技術的思想を逸脱しない範囲内で種々の変形が可能である。以下、そのような変形例を順を追って説明する。
【０１６３】
（１）複数枚の無線タグラベルを作成する場合
本変形例は、ラベル作成処理モードにおいて複数枚の無線タグラベルの作成処理を実行している最中に、操作スイッチ９０により情報取得処理モードに切替操作された場合の例である。
【０１６４】
図１７は、本変形例における制御回路１１０によって実行される制御手順のうちタグラベル作成処理手順を表すフローチャートであり、前述の図１２に対応する図である。図１２と同様の手順には同符号を付し、説明を適宜省略する。
【０１６５】
図１７において、タグラベル作成処理手順の実行が開始されると、まずステップＳ１０５′の準備処理が行われる。このステップＳ１０５′では、前述の図１２のステップＳ１０５と同様、ＰＣ１１８からの操作信号に基づき、印刷データやラベル作成用無線タグ回路素子Ｔoとの通信データ、前・後ハーフカット位置やフルカット位置の設定等を行なう準備処理を実行する（前述）。またこれに加え、複数枚作成を行うための、ＰＣ１１８より操作入力されたラベル作成枚数をＲＡＭ１１７（図６参照）に記憶する。
【０１６６】
次に、ステップＳ１１０′において、リトライを行う回数（アクセス試行回数）をカウントする変数Ｍ、Ｎを０に初期化設定する（前述）と共に、無線タグラベルの作成が完了した枚数をカウントする変数Ｘを１に初期化設定する。続いて、前述の図１２と同様にステップＳ１１５及びステップＳ１２０が実行される。カバーフィルム１０３が印刷開始位置に到達するまでステップＳ１２０を繰り返し、印刷開始位置に到達したら判定が満たされて次のステップＳ１２５に移り、ラベル印字Ｒの印刷を開始する。
【０１６７】
そして、前述の図１２と同様にステップＳ１３０が実行される。印字済みタグラベル用テープ１０９が前ハーフカット位置に到達するまでステップＳ１３０を繰り返し、前ハーフカット位置に到達したら判定が満たされて次のステップＳ１３５に移り、印字済みタグラベル用テープ１０９の搬送及びラベル印字Ｒの印刷を停止する。
【０１６８】
そして、前述の図１２と同様にステップＳ１４０〜ステップＳ１５０が実行される。印字済みタグラベル用テープ１０９が所定距離だけ搬送されるまでステップＳ１５０を繰り返し、所定距離だけ搬送されたら判定が満たされて次のステップＳ２００′に移り、タグアクセス処理を実行する（詳細は後述の図１８参照）。そして、前述の図１２と同様にステップＳ１５５〜ステップＳ１７０が実行される。
【０１６９】
ステップＳ１７０を実行した後、ステップＳ１８０において、ＰＣ１１８より指定された枚数の無線タグラベルＴの作成が終了したかどうかが判定される。指定枚数の無線タグラベルＴの作成が終了したら、判定が満たされて本フローを終了する。指定枚数の無線タグラベルＴの作成が終了していないときはステップＳ１８０の判定が満たされず、ステップＳ１９０に移る。
【０１７０】
ステップＳ１９０では、スキャン実施フラグＦｓが０である（スキャン処理が実行されていない）かどうかを判定する。スキャン実施フラグＦｓが０になるまで本ステップＳ１９０を繰り返し、スキャン実施フラグＦｓが０になったら判定が満たされて次のステップＳ１９５に移り、変数Ｘに１を加え、ステップＳ１１５に戻り、同様の手順を繰り返す。
【０１７１】
これにより、１枚の無線タグラベルＴの作成が終了した後、スキャン実施フラグＦｓが１である（スキャン処理が実行されている）間は、無線タグラベルＴの作成処理が一時的に中断されることとなる。その後、スキャン実施フラグＦｓが０になったら、無線タグラベルＴの作成処理が再開されるようになる。
【０１７２】
図１８は、上述したステップＳ２００′の詳細手順を表すフローチャートであり、前述の図１５に対応する図である。図１５と同様の手順には同符号を付し、説明を適宜省略する。
【０１７３】
図１８に示すフローは、図１５のフローからステップＳ２１２及びステップＳ２１４を省略したものである。すなわちまずステップＳ２１０において、印字済みタグラベル用テープ１０９が前述したラベル作成用ループアンテナＬＣ１との通信位置まで搬送されたかどうかを判定する。印字済みタグラベル用テープ１０９が通信位置まで搬送されるまでこの手順を繰り返し、通信位置に到達したら、判定が満たされて次のステップＳ２２０に移り、印字済みタグラベル用テープ１０９の搬送及びラベル印字Ｒの印刷を停止する。そして、前述の図１５と同様にステップＳ４００〜ステップＳ２７０が実行され、本フローを終了する。
【０１７４】
以上のように、本変形例においては、複数枚の無線タグラベルＴの作成を実施している途中で、操作スイッチ９０により情報取得処理モードへの切替操作が行われた場合には、ステップＳ１９０での判定が満たされなくなり、作成中に係る１枚の無線タグラベルＴの作成完了後にタグラベル作成処理の実行を一旦中断して情報取得処理モードへと切り替える。そして、情報取得処理（スキャン処理）の完了後にステップＳ１９０の判定が満たされて再びラベル作成処理モードへ切り替えて、残余の枚数の無線タグラベルＴの作成処理が続行されることとなる。
【０１７５】
これにより、無線タグラベルＴの作成を複数枚連続（又は一括）して行っているときでも、その無線タグラベルＴの作成へ割り込む形で情報取得処理を優先して実行することができる。従って、前述と同様、無線タグ情報通信装置１の近くに来て情報取得処理を行おうとしている操作者の待ち時間が長くなるのを防止し利便性を向上することができる。またこのとき、その時点で作成している１枚の無線タグラベルＴの作成を完了させるので、印刷乱れ等による無線タグラベルＴの品質低下を防止することができる。さらに、情報取得処理後に無線タグラベルＴの作成を再開し、残余の無線タグラベルＴを作成するので、作成枚数の不足や作成忘れ等も防止することができる。
【０１７６】
（２）タグラベル作成処理と情報取得処理とを同時並行して実施する場合
以上においては、無線タグラベルＴの作成処理を実施している最中に操作スイッチ９０により情報取得処理モードへの切替操作が行われたときに、タグラベル作成処理を中止して情報取得処理モードを優先的に実行するようにしたが、これに限られない。すなわちタグラベル作成処理を中止せず、タイムシェアリング方式でタグラベル作成処理と情報取得処理とを同時並行しつつ、タグラベル作成処理のデューティ（実行時間比率）を下げるようにして実施するようにしてもよい。
【０１７７】
この場合、制御回路１１０によって、時分割した所定の占有期間（タイムスロット）毎に切替回路８６を切り替えることで、タイムシェアリング方式でラベル作成用ループアンテナＬＣ１と情報取得用ループアンテナＬＣ２とを同時に作動させる。
【０１７８】
図１９に、このタイムシェアリングの挙動の一例を概念的に表す。図１９の例では、タイムスロットの分配比率を「タグラベル作成処理」：「情報取得処理」２：１とすることで、タグラベル作成処理のデューティを下げている。この場合、送信回路３０６によるアクセス情報の送信頻度を通常よりも低下させた態様のタグラベル作成処理と、送信回路３０６によるアクセス情報の送信頻度を通常よりも低下させた態様の情報取得処理とが同時に並立して実行されることとなる。これにより、タグラベル作成処理を実行しようとする操作者と情報取得処理を実行しようとする操作者とが同じタイミングで無線タグ情報通信装置１に対し当該処理の指示を行ったとしても、いずれの処理についても実行されるため、各操作者についても既に自分の処理が着手され実行中であるとの心理的な安心感を与えることができる。
【０１７９】
（３）その他
以上においては、図１１に示すように、操作スイッチ９０により装置の処理モードを情報取得処理モードへと切り替えた後、所定回数のアクセス情報の送信が完了したら、情報取得処理モードへの切り替えを自動的に解除するようにしたが、これに限られない。すなわち、制御回路１１０内にタイマを設け、操作スイッチ９０により情報取得処理モードへの切り替えを行った後、所定時間が経過したら、情報取得処理モードへの切り替えを自動的に解除するようにしても良い。この場合も、前述と同様、モード切替時の操作性を向上することができ、また情報取得処理モード解除を失念することでラベル作成ができなくなるのを未然に防止することができる。
【０１８０】
また、以上においては、装置本体２の側面側に情報取得用ループアンテナＬＣ２を設け、当該装置本体２の側面側において装置本体２（筐体２００）の外部に位置する情報取得用無線タグ回路素子Ｔoから情報の読み取りを行うようにしたが、これに限られない。すなわち、装置本体２の前面側又は上面側に情報取得用ループアンテナＬＣ２を設け、当該装置本体２の前面側又は上面側において装置本体２（筐体２００）の外部に位置する情報取得用無線タグ回路素子Ｔoから情報の読み取りを行うようにしてもよい。さらには、ラベル作成用ループアンテナＬＣ１と情報取得用ループアンテナＬＣ２とを別体とせず、共通のループアンテナとして構成することもできる。
【０１８１】
また、以上は、ラベル作成用無線タグ回路素子Ｔoに対し無線タグ情報を送信しＩＣ回路部１５１に書き込みを行って無線タグラベルＴを作成する場合を説明したが、これに限られない。すなわち、予め所定の無線タグ情報が書き換え不可に記憶保持されている読み取り専用のラベル作成用無線タグ回路素子Ｔoから無線タグ情報を読み取りながら、これに対応する印字を行って無線タグラベルＴを作成する場合にも本発明は適用でき、この場合も上記同様の効果を得ることができる。
【０１８２】
また、以上においては、ラベル作成用無線タグ回路素子Ｔoを備えた基材テープ１０１とは別のカバーフィルム１０３に印字を行ってこれらを貼り合わせる方式であったが、これに限られず、例えばタグテープに備えられた被印字テープ層の印字領域に印字を行う方式（貼りあわせを行わないタイプ）に本発明を適用してもよい。
【０１８３】
また、以上において、印字及びラベル作成用無線タグ回路素子Ｔoへのアクセス（読み取り又は書き込み）の終了した印字済みタグラベル用テープ１０９を切断機構１５で切断して無線タグラベルＴを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、切断機構１５で切断しなくても、テープがラベル排出口１１から排出されてきた後にラベル台紙（アクセス済みのラベル作成用無線タグ回路素子Ｔoが備えられかつ対応する印字がなされたもの）のみをテープから剥がして無線タグラベルＴを作成しても良く、本発明はこのようなものに対しても適用できる。
【０１８４】
さらに、以上は、印字済みタグラベル用テープ１０９を用いて、印字付の無線タグラベルＴを作成した場合を例にとって説明したが、これに限られず、本発明は、印字の無い無線タグラベルＴを作成するものに対しても適用できる。
【０１８５】
また、以上既に述べた以外にも、上記実施形態や各変形例による手法を適宜組み合わせて利用しても良い。
【０１８６】
その他、一々例示はしないが、本発明は、その趣旨を逸脱しない範囲内において、種々の変更が加えられて実施されるものである
【図面の簡単な説明】
【０１８７】
【図１】本発明の一実施形態である無線タグ情報通信装置を備えた無線タグ生成システムを表すシステム構成図である。
【図２】無線タグ情報通信装置の全体構造を表す斜視図である。
【図３】無線タグ情報通信装置の内部の内部ユニットの構造を表す斜視図である。
【図４】無線タグ情報通信装置の内部の内部ユニットの構造を表す平面図である。
【図５】カートリッジの詳細構造を模式的に表す拡大平面図である。
【図６】本発明の一実施形態である無線タグ情報通信装置の制御系を表す機能ブロック図である。
【図７】無線タグ回路素子の機能的構成を表す機能ブロック図である。
【図８】無線タグ情報通信装置によりラベル作成用無線タグ回路素子の情報書き込み（又は読み取り）及び印字済みタグラベル用テープの切断が完了し形成された無線タグラベルの外観の一例を表す上面図及び下面図である。
【図９】図８中IXA−IXA′断面による横断面図を反時計方向に９０°回転させた図及び図８中IXB−IXB′断面による横断面図を反時計方向に９０°回転させた図である。
【図１０】制御回路によって実行される制御手順のうち、情報取得処理の詳細手順を表すフローチャートである。
【図１１】図１０に示したスキャン処理の詳細手順を表すフローチャートである。
【図１２】制御回路によって実行される制御手順のうち、タグラベル作成処理の詳細手順を表すフローチャートである。
【図１３】図１２に示した最初のラベル作成中断処理の詳細手順を表すフローチャートである。
【図１４】図１２に示した他のラベル作成中断処理の詳細手順を表すフローチャートである。
【図１５】図１２に示したタグアクセス処理の詳細手順を表すフローチャートである。
【図１６】図１５に示した情報送受信処理の詳細手順を表すフローチャートである。
【図１７】複数枚無線タグラベルの一括作成を行う変形例における制御回路によって実行される制御手順のうちタグラベル作成処理の詳細手順を表すフローチャートである。
【図１８】図１７に示したタグアクセス処理の詳細手順を表すフローチャートである。
【図１９】タグラベル作成処理と情報取得処理とを同時並行して実施する変形例のタイムシェアリングの挙動の一例を概念的に表す図である。
【符号の説明】
【０１８８】
１              無線タグ情報通信装置
２              装置本体
２３            印字ヘッド（印字手段）
９０            切替スイッチ（切替手段）
９１            ＬＥＤ（第１報知手段）
９２            モニタ（第２報知手段）
１０１          基材テープ（タグ媒体）
１０９          タグラベル用テープ（タグ媒体）
１１８          ＰＣ（操作端末）
１５１          ＩＣ回路部
１５２          ループアンテナ（タグ側アンテナ）
２００          筐体
３０６          送信回路（情報生成手段）
ＬＣ１          ラベル作成用ループアンテナ（装置側アンテナ手段）
ＬＣ２          情報取得用ループアンテナ（装置側アンテナ手段）
Ｔｏ            無線タグ回路素子（ラベル作成用無線タグ回路素子、情報取得用無線タグ回路素子）
【図１】
2008197951.tif 000003
【図２】
2008197951.tif 000004
【図３】
2008197951.tif 000005
【図４】
2008197951.tif 000006
【図５】
2008197951.tif 000007
【図６】
2008197951.tif 000008
【図７】
2008197951.tif 000009
【図８】
2008197951.tif 000010
【図９】
2008197951.tif 000011
【図１０】
2008197951.tif 000012
【図１１】
2008197951.tif 000013
【図１２】
2008197951.tif 000014
【図１３】
2008197951.tif 000015
【図１４】
2008197951.tif 000016
【図１５】
2008197951.tif 000017
【図１６】
2008197951.tif 000018
【図１７】
2008197951.tif 000019
【図１８】
2008197951.tif 000020
【図１９】
2008197951.tif 000021